(57)【要約】【課題】ディスク装置の薄型化を図るとともに、ディスク内周側にバリや貼り合せ部の凹みがあっても、ディスクの確実な自動装着が可能となるディスク装置を提供すること。【解決手段】中心孔を有するディスク４０を置くためのリング状のディスク受け面１１を有し、回転軸の周りに回転可能なターンテーブル１０と、ターンテーブル１０の上にディスク４０を保持するディスク保持機構２０と、ディスク保持機構２０とは当接しない孔３１を有するとともに、孔３１の外周にターンテーブル１０に向かって突出させた突部３４、３５を有するディスク係止用当接部材３０と、ディスク係止用当接部材３０とターンテーブル１０とを相対的に近接離間させる移動機構５０とを有するディスク装置であって、突部３４、３５を、ディスク受け面１１と対向する位置に形成した第１変形部３２と、ディスク受け面１１よりも内周側に形成した第２変形部３３によって構成し、第２変形部３３によって形成される突部３４、３５がターンテーブル１０側へ最も突出した構成としたことを特徴とするディスク装置。【選択図】        図１
2005108401.tif 000002
【特許請求の範囲】
【請求項１】
中心孔を有するディスクを置くためのリング状のディスク受け面を有し、回転軸の周りに回転可能なターンテーブルと、
前記ターンテーブルの上に前記ディスクを保持するディスク保持機構と、
前記ディスク保持機構とは当接しない孔を有するとともに、前記孔の外周に前記ターンテーブルに向かって突出させた突部を有するディスク係止用当接部材と、
前記ディスク係止用当接部材と前記ターンテーブルとを相対的に近接離間させる移動機構とを有するディスク装置であって、
前記突部を、前記ディスク受け面と対向する位置に形成した第１変形部と、前記ディスク受け面よりも内周側に形成した第２変形部によって構成し、
前記第２変形部によって形成される突部が前記ターンテーブル側へ最も突出した構成としたことを特徴とするディスク装置。
【請求項２】
前記第１変形部によって第１突部を形成し、前記第２変形部によって第２突部を形成し、前記第２突部を前記第１突部よりも前記ターンテーブル側へ突出した構成としたことを特徴とする請求項１に記載のディスク装置。
【請求項３】
前記第２変形部によって形成される前記突部の内周端部を、前記ターンテーブルと反対側へ突出させたことを特徴とする請求項１に記載のディスク装置。
【請求項４】
中心孔を有するディスクを置くためのリング状のディスク受け面を有し、回転軸の周りに回転可能なターンテーブルと、
前記ターンテーブルの上に前記ディスクを保持するディスク保持機構と、
前記ディスク保持機構とは当接しない孔を有するとともに、前記孔の外周に前記ターンテーブルに向かって突出させた突部を有するディスク係止用当接部材と、
前記ディスク係止用当接部材と前記ターンテーブルとを相対的に近接離間させる移動機構とを有するディスク装置であって、
前記突部を、前記ディスク受け面と対向する位置に形成した第１突部と、前記ディスク受け面よりも内周側に形成した第２突部によって構成し、
前記第２突部を前記第１突部よりも前記ターンテーブル側に突出させたことを特徴とするディスク装置。
【請求項５】
前記ディスク係止用当接部材の位置が固定されており、前記移動機構は前記ターンテーブルを昇降することにより、前記ディスク係止用当接部材に対して前記ターンテーブルを移動させることを特徴とする請求項１又は請求項４に記載のディスク装置。
【請求項６】
前記ディスク係止用当接部材を、前記ディスク装置の筐体または前記ディスク装置を収容する情報機器の一部に設けたことを特徴とする請求項１又は請求項４に記載のディスク装置。
【請求項７】
前記突部を、リング状に形成したことを特徴とする請求項１又は請求項４に記載のディスク装置。
【請求項８】
前記第１突部の径方向の幅を、前記第２突部の径方向の幅よりも大きくしたことを特徴とする請求項７に記載のディスク装置。
【請求項９】
前記ディスク係止用当接部材が前記ディスクと当接するとき、前記ターンテーブルは前記ディスク係止用当接部材に対して所定の角度を有していることを特徴とする請求項１又は請求項４に記載のディスク装置。
【発明の詳細な説明】
【技術分野】
【０００１】
本発明は、ＣＤ、ＤＶＤ等のディスク状記録媒体の記録または再生を行うディスク装置に関し、特に、家庭用映像機器やコンピュータの周辺装置として用いられるディスク装置の薄型化に関する。
【背景技術】
【０００２】
コンピュータの小型、薄型化などに対応してＤＶＤ等のディスク装置についても小型・薄型化への要望が高まっている。一般に、ＤＶＤ等のディスク状記録媒体を記録・再生するディスク装置では、ディスクを交換するために、ディスクを載置するターンテーブルにディスクを装着／開放する手段が必要となるが、より快適な操作性を提供するために、ディスクの自動装着手段を備えるディスク装置が求められている。
従来、このディスクの自動装着手段として、搬送機構によりディスクを搬送した後、ディスク下面のターンテーブルと、ディスク上方のクランパと呼ばれるディスク保持用のクランプ部材により、ディスクを上下から挟み込むことで、ディスクの保持を行っていた。
しかしながら、上記のような構成の従来のディスク装置では、ディスクの自動装着を行うにあたり、ディスク上方に設けた厚みのあるクランプ部材（クランパ）が存在するために、ディスク装置の薄型化を行うことが困難であるという問題を有していた。
例えば、特許文献１には、ディスク上方にクランプ部材（クランパ）を必要としないディスクの自動装着機構を備える小型・薄型のディスク装置が記載されている。
このようなディスク装置は、図１２に示すように、回転可能なターンテーブル１００を上下に移動させる移動機構１０１を備え、ターンテーブル１００を上方に移動させ（A方向）、移動時にターンテーブル１００上のディスクＤを、ディスク係止用当接部材１０３などに押し当てて、相対的にディスクＤをターンテーブル１００側に移動させて、回転軸１０４に設けた爪１０５などによる保持機構１０６によりディスクＤをターンテーブル１００に人手によらずに保持させる構成であった。
【特許文献１】特開２００２−３５２７９４号公報
【発明の開示】
【発明が解決しようとする課題】
【０００３】
ＤＶＤなどのディスクＤにおいては、時として製造工程での不具合でディスク上方にバリや貼り合せ部の凹みなどがあるものがあり、このようなディスク上方にバリや貼り合せ部の凹みなどのあるものが、前述した従来のディスクの自動装着機構に装着されると、そのバリや貼り合せ部の凹みなどのためにディスクの最内側の移動が一部阻害され（Ｘ部分）、爪１０５などによる保持機構が確実にディスクＤを保持しない場合が生じるという問題があった。
【０００４】
そこで本発明は、ディスク装置の薄型化を図るとともに、ディスク内周側にバリや貼り合せ部の凹みがあっても、ディスクの確実な自動装着が可能となるディスク装置を提供することを目的とする。
【課題を解決するための手段】
【０００５】
請求項１記載の本発明のディスク装置は、中心孔を有するディスクを置くためのリング状のディスク受け面を有し、回転軸の周りに回転可能なターンテーブルと、前記ターンテーブルの上に前記ディスクを保持するディスク保持機構と、前記ディスク保持機構とは当接しない孔を有するとともに、前記孔の外周に前記ターンテーブルに向かって突出させた突部を有するディスク係止用当接部材と、前記ディスク係止用当接部材と前記ターンテーブルとを相対的に近接離間させる移動機構とを有するディスク装置であって、前記突部を、前記ディスク受け面と対向する位置に形成した第１変形部と、前記ディスク受け面よりも内周側に形成した第２変形部によって構成し、前記第２変形部によって形成される突部が前記ターンテーブル側へ最も突出した構成としたことを特徴とする。
請求項２記載の本発明は、請求項１に記載のディスク装置において、前記第１変形部によって第１突部を形成し、前記第２変形部によって第２突部を形成し、前記第２突部を前記第１突部よりも前記ターンテーブル側へ突出した構成としたことを特徴とする。
請求項３記載の本発明は、請求項１に記載のディスク装置において、前記第２変形部によって形成される前記突部の内周端部を、前記ターンテーブルと反対側へ突出させたことを特徴とする。
請求項４記載の本発明のディスク装置は、中心孔を有するディスクを置くためのリング状のディスク受け面を有し、回転軸の周りに回転可能なターンテーブルと、前記ターンテーブルの上に前記ディスクを保持するディスク保持機構と、前記ディスク保持機構とは当接しない孔を有するとともに、前記孔の外周に前記ターンテーブルに向かって突出させた突部を有するディスク係止用当接部材と、前記ディスク係止用当接部材と前記ターンテーブルとを相対的に近接離間させる移動機構とを有するディスク装置であって、前記突部を、前記ディスク受け面と対向する位置に形成した第１突部と、前記ディスク受け面よりも内周側に形成した第２突部によって構成し、前記第２突部を前記第１突部よりも前記ターンテーブル側に突出させたことを特徴とする。
請求項５記載の本発明は、請求項１又は請求項４に記載のディスク装置において、前記ディスク係止用当接部材の位置が固定されており、前記移動機構は前記ターンテーブルを昇降することにより、前記ディスク係止用当接部材に対して前記ターンテーブルを移動させることを特徴とする。
請求項６記載の本発明は、請求項１又は請求項４に記載のディスク装置において、前記ディスク係止用当接部材を、前記ディスク装置の筐体または前記ディスク装置を収容する情報機器の一部に設けたことを特徴とする。
請求項７記載の本発明は、請求項１又は請求項４に記載のディスク装置において、前記突部を、リング状に形成したことを特徴とする。
請求項８記載の本発明は、請求項７に記載のディスク装置において、前記第１突部の径方向の幅を、前記第２突部の径方向の幅よりも大きくしたことを特徴とする。
請求項９記載の本発明は、請求項１又は請求項４に記載のディスク装置において、前記ディスク係止用当接部材が前記ディスクと当接するとき、前記ターンテーブルは前記ディスク係止用当接部材に対して所定の角度を有していることを特徴とする。
【発明の効果】
【０００６】
本発明のディスク装置によると、ディスク保持機構より外周側で、ターンテーブルのディスク受け面より回転軸側の相対する位置において２段階に変形され、ディスクに向かって２段階の突部を有するディスク係止用当接部材を有するため、従来のようにディスク内周側にバリや貼り合せ部の凹みがあっても、ディスクを確実にターンテーブル側に移動させ保持させることが可能となり、ディスクの確実な自動装着が可能となり、クランパの分の厚みを必要としないので、自動着脱操作ディスク装置の薄型化を行うことができる。
【発明を実施するための最良の形態】
【０００７】
本発明の第１の実施の形態によるディスク装置は、突部を、ディスク受け面と対向する位置に形成した第１変形部と、ディスク受け面よりも内周側に形成した第２変形部によって構成し、第２変形部によって形成される突部がターンテーブル側へ最も突出した構成としたものである。本実施の形態によれば、ディスク保持機構より外周側で、ターンテーブルのディスク受け面より回転軸側の相対する位置において２段階の変形によって突部が形成されるため、従来のようにディスク内周側にバリやそりがあっても、ディスクを確実にターンテーブル側に移動させ保持させることが可能となる。
本発明の第２の実施の形態は、第１の実施の形態によるディスク装置において、第１変形部によって第１突部を形成し、第２変形部によって第２突部を形成し、第２突部を第１突部よりもターンテーブル側へ突出したものである。本実施の形態によれば、第１突部とディスク受け面とによってディスクを保持し、第２突部によってディスクの内周面の浮き上がりを防止するため、ディスクをディスク保持機構に確実に装着することができる。
本発明の第３の実施の形態は、第１の実施の形態によるディスク装置において、第２変形部によって形成される突部の内周端部を、ターンテーブルと反対側へ突出させたものである。本実施の形態によれば、突部の剛性を高めることができ、ディスクを強い力で押圧することができる。
本発明の第４の実施の形態によるディスク装置は、突部を、ディスク受け面と対向する位置に形成した第１突部と、ディスク受け面よりも内周側に形成した第２突部によって構成し、第２突部を第１突部よりもターンテーブル側に突出させたものである。本実施の形態によれば、第１突部とディスク受け面とによってディスクを保持し、第２突部によってディスクの内周面の浮き上がりを防止するため、従来のようにディスク内周側にバリやそりがあっても、ディスクを確実にターンテーブル側に移動させて保持させることが可能となる。
本発明の第５の実施の形態は、第１又は第４の実施の形態によるディスク装置において、ディスク係止用当接部材の位置が固定されており、移動機構はターンテーブルを昇降することにより、ディスク係止用当接部材に対してターンテーブルを移動させるものである。本実施の形態によれば、自動着脱操作ディスク装置の薄型化を行うことができる。
本発明の第６の実施の形態は、第１又は第４の実施の形態によるディスク装置において、ディスク係止用当接部材を、ディスク装置の筐体またはディスク装置を収容する情報機器の一部に設けたものである。本実施の形態によれば、ディスク装置の筐体またはディスク装置を収容する情報機器の一部として形成できるので、部品点数を減らすことができる。
本発明の第７の実施の形態は、第１又は第４の実施の形態によるディスク装置において、突部を、リング状に形成したものである。本実施の形態によれば、ディスクを、より確実に保持させることが可能となる。
本発明の第８の実施の形態は、第７の実施の形態によるディスク装置において、第１突部の径方向の幅を、第２突部の径方向の幅よりも大きくしたものである。本実施の形態によれば、第１突部の幅を第２突部の幅よりも大きくすることで、第２突部の変位を確保でき、第２突部の幅を第１突部の幅よりも小さくすることで、第２突部でのディスクに対する押圧力を集中させることができる。
本発明の第９の実施の形態は、第１又は第４の実施の形態によるディスク装置において、ディスク係止用当接部材がディスクと当接するとき、ターンテーブルはディスク係止用当接部材に対して所定の角度を有しているものである。本実施の形態によれば、少ない押圧力でディスクをディスク保持機構に保持させることができる。
【実施例】
【０００８】
図１は、本発明の一実施の形態におけるディスク装置１０００の構成を示す要部断面図、図２は同装置のディスク係止用当接部材を形成した蓋体の上面図である。
ディスク装置１０００は、ベース本体１とディスク係止用当接部材３０との間にターンテーブル１０と、ターンテーブル１０上に配置されるディスク保持機構２０とを備えている。
ターンテーブル１０は、ディスク４０を置くためのディスク受け面１１を有し、回転軸Ａの周りに回転可能である。
ディスク保持機構２０は、ハブ部２１と保持爪２２と弾性部材２３とを備えており、ディスク４０が回転軸Ａの周りに回転可能なようにディスク４０をターンテーブル１０の上に保持する第１の状態と、第１の状態とは異なる第２の状態（保持爪２２より図１において上方にディスク４０が位置する状態）とを有する。ハブ部２１はディスク４０の中心孔に嵌合し、保持爪２２および保持爪２２を付勢する弾性部材２３によりディスク４０がターンテーブル１０上に保持される。
ディスク係止用当接部材３０は、本実施例ではディスク装置１０００の外殻をなす上部天板の一部に設けられており、ディスク４０の上方に配置され、ディスク保持機構２０とは当接しないよう孔３１を有するとともに、ディスク保持機構２０よりディスク４０に関して外周側で、かつターンテーブル１０のディスク受け面１１より回転軸A側の位置において２段階に、第１変形部３２と第２変形部３３のように絞り加工等の成型加工によって変形され、ディスク４０に向かって２段階の突部３４、３５を有する。２段階の突部は第１突部３４と、さらに孔３１の近傍において形成された第２突部３５からなる。また、これらの突部３４、３５はリング形状であり、ディスク４０の内周領域である非記録領域４１に当接する。なお、第１突部３４と第２突部３５とは、内周側から外周方向に向けたテーパ形状の構成としてもよい。また、突部３５のリング形状は、必ずしも連続して構成されていなくてもよい。
【０００９】
ディスク装置１０００は、ディスク係止用当接部材３０に対してターンテーブル１０を相対的に移動させる移動機構５０を備えている。移動機構５０は、ターンテーブル１０が移動する構成であってもよく、あるいはディスク係止用当接部材３０が移動する構成であってもよい。あるいは、ターンテーブル１０、およびディスク係止用当接部材３０の双方が移動する構成であってもよい。移動機構５０はターンテーブル１０を昇降させるための昇降手段であり、本実施例では支点５１を中心に回転し上下動する。
【００１０】
次に、図２を用いて同装置のディスク係止用当接部材を形成した蓋体について説明する。なお、図１は図２におけるＢ−Ｂ線断面に相当する。
ディスク係止用当接部材３０の外縁部には、複数のビス孔２が設けられ、ディスク係止用当接部材３０は、ビスによってベース本体１に取り付けられる。
ディスク係止用当接部材３０の中央部には、孔３１が設けられている。この孔３１は、ディスク４０の中心孔よりも大きな半径の円形開口である。従って、ディスク４０の中心孔に嵌合するディスク保持機構２０よりも大きな開口である。
孔３１の外周部には、ベース本体１側に突出させたリング状の突部３４、３５が形成されている。このリング状の突部３４、３５は、孔３１の外周に設けた第２突部３５と、第２突部３５の外周に設けた第１突部３４によって構成し、第２突部３５の突出高さを、第１突部３４の突出高さよりも高く形成している。また、第１突部３４の径方向の幅は、第２突部３５の径方向の幅よりも大きな寸法で形成している。このように、二重突部３４、３５によってディスク係止用当接部材３０の曲げに対する剛性を高めることができるとともに、仮にディスクのチャッキング時にディスク係止用当接部材３０に変形が生じたとしても、第２突部３５が第１突部３４よりも高いため、ディスクを確実に押さえ込み、安定したチャッキング動作を行わせることができる。また孔３１には、第１突部３４からディスク挿入口３側に向かって先細り形状をした絞り部４が設けられている。この絞り部４によって、ベース本体１側に凸状ガイドを形成する。
【００１１】
またディスク係止用当接部材３０には、複数の絞り部４、５、６が形成され、これらの絞り部４、５、６によってベース本体１側に凸状ガイドを形成している。
更にディスク係止用当接部材３０のフロント面側端部には、ベース本体１側に突出させた所定長さの第１絞り溝７と、第１絞り溝７と反対側に突出させた所定長さの第２絞り溝８とを隣接して形成している。第１絞り溝７と第２絞り溝８は、ディスクの幅に相当する長さで連続する溝である。ここで、第１絞り溝７は、中心部から端部に向かって漸次高くなるように形成している。
これらの絞り部４、５、６、及び絞り溝７、８は、ディスク保持機構２０に装着された状態でのディスク４０の外周端よりも外方で、孔３１よりもディスク挿入口３側に設けている。これらの絞り部４、５、６、及び絞り溝７によって形成される凸状ガイドによって、ディスク挿入口３から挿入されるディスク４０がガイドされる。またこれら絞り部４、５、６及び絞り溝７、８によってディスク係止用当接部材３０の強度を高めている。なお、絞り部４と絞り部５とは連続した一つの絞りでもよいが、複数に分割することでディスク係止用当接部材３０の強度を更に高めることができる。
【００１２】
また、本実施例は、側壁を持たないディスク係止用当接部材３０のフロント面側端部に、所定長さの第１絞り溝７と、この第１絞り溝７と反対側に突出させた所定長さの第２絞り溝８とを形成することで、ディスク係止用当接部材３０のフロント面側端部の曲げに対する剛性を高めることができる。そして、曲げに対する剛性を高めることで、特にディスク４０のチャッキング動作を安定して行わせることができる。また、本実施例は、第１絞り溝７の端部における溝高さを中心部よりも高く形成することで、同じ高さの溝を形成する場合と比較して、曲げに対する剛性を高めることができるとともに、ディスク４０の挿入時や排出時に、第１絞り溝７の両端部においてディスクを案内することができるので、ディスク４０の記録面を損傷させることなく、スムーズな動作を行わせることができる。
なお、ディスク係止用当接部材３０は、アルミ合金を用い、ディスク係止用当接部材３０の内周面全体には、ウレタンビーズ配合のフッ素系コーティングを塗布している。なお、コーティングは、突部３５、絞り部４、５、６、第１絞り溝７のディスク４０との接触面だけに施してもよい。コーティング材として、ビーズ径が２０ミクロンのウレタン樹脂に、ウレタン樹脂に対する配合比が５％のフッ素と、ウレタン樹脂に対する配合比が１．０〜１．５％のシリコンとを配合したコーティング材を用いることが好ましい。また、コーティング材の摩擦係数は、０．２〜０．６が好ましく、０．５５以下がより好ましい。
【００１３】
次に、本実施例の動作について、図３から図７により説明する。
図３は、本発明の実施の形態におけるディスク装置において、ターンテーブルへディスクを装着する前の状態を示す図、図４は、ターンテーブルへディスクを装着する開始の状態を示す図、図５は、ターンテーブルへディスクを装着する途中の状態であって、ディスクがディスク係止用当接部材の第１の突部と当接している状態を示す図、図６は、ターンテーブルへディスクを装着した後の状態であって、ディスクがディスク係止用当接部材の第１、２の突部と当接している状態を示す図、図７は、ターンテーブルへディスクが装着された後であって、ディスクが回転可能な位置にある状態を示す図である。
図３に示すように、移動機構５０は、ディスク保持機構２０が第２の状態にある場合において、ディスク係止用当接部材３０がディスク４０に当接するように、ターンテーブル１０をディスク係止用当接部材３０に対して相対的に矢印Bの方向へと移動させる。次に、図４から図５に示すように、ディスク係止用当接部材３０の第１突部３４がディスク４０に当接した状態から、図６に示すように、さらに移動機構５０がターンテーブル１０をディスク係止用当接部材３０に対して相対的に移動させることで、ディスク係止用当接部材３０の第１突部３４と、第２突部３５がディスク４０をターンテーブル１０側に相対的に押圧し、これにより、ディスク保持機構２０の状態が第２の状態から第１の状態となる。そして、図６に示すように、ディスク保持機構２０の状態が第１の状態となると、移動機構５０がターンテーブル１０を再生位置まで若干下降させる。
この状態では、ディスク係止用当接部材３０はディスク４０に当たらない状態となっているが、ディスク係止用当接部材３０の第１突部３４と、第２突部３５の下面はディスク４０を傷つけないように、ウレタンコーティングなどの公知の保護膜を設けている。
係止用当接部材３０の上記の状態のうち、ディスク４０がディスク保持機構２０によって完全に保持されている図６、図７の状態は第１の状態であり、それ以外の図３から図５の状態は第２の状態である。
【００１４】
図１に示すように、本実施例では、ターンテーブル１０の上方に位置決めされたディスク４０は、ターンテーブル１０の上方への移動により、ディスク係止用当接部材３０の第１突部３４と、第２突部３５がディスク４０に当接し、さらに移動機構５０がターンテーブル１０をディスク係止用当接部材３０に対して相対的に移動させることで、ディスク係止用当接部材３０の第１突部３４と、第２突部３５がディスク４０をターンテーブル１０側に相対的に押圧することとなり、バリや貼り合せ部の凹みがディスク４０にあっても第１突部３４と、第２突部３５により、確実にディスク保持機構２０の状態が第２の状態から第１の状態となる。
すなわち、保持爪２２はディスク４０がターンテーブル１０側に相対的に押圧されると、いったん保持爪２２を付勢する弾性部材２３の付勢力に抗して矢印C方向に後退して、その後ディスク４０がターンテーブル１０の受け面１１上に達すると、弾性部材２３の付勢力によって保持爪２２が元の状態に戻って、保持爪２２がディスク４０を保持する第１の状態となる。
これにより、ディスク４０のターンテーブル１０への装着が完了する。
【００１５】
本実施の形態では、ディスク係止用当接部材３０をディスク装置の外殻をなす上部筐体すなわち天板に設けたが、これに限定されることなく、例えば、ディスク係止用当接部材３０がディスク装置を収容する情報機器の一部に設けられる構成としても、前述のディスク装着動作と同様の働きをすることができる。
本実施の形態では、ディスク保持機構２０として、複数個設けられた保持爪２２によりディスク４０をターンテーブル１０に保持固定する構成としたが、これに限定されることなく、例えば、球状の部材、リング状の弾性部材などで保持固定してもよい。
また、本発明の実施の形態では、ターンテーブル１０の再生位置でターンテーブル１０が水平を保つように構成しているので、ディスク係止用当接部材３０とディスク４０とを当接させている状態では、ターンテーブル１０がディスク係止用当接部材３０に対して角度θ傾いている（ターンテーブル１０が円弧状の軌跡で昇降から）が、他の形態としては、ターンテーブル１０が垂直に昇降する機構をとることも可能である。垂直に昇降する機構をとると、保持爪２２を矢印Ｃ方向に引き込ませるために必要な力は同時に複数の保持爪２２にかかるが、円弧状の軌跡で昇降すると、力が分散されるため、ディスク保持機構２０を動作させるのに必要な力を低減することができる。
【００１６】
次に図８から図１１を用いて他の実施例について説明する。
図８、図９は、他の実施例によるディスク係止用当接部材の要部断面図であり、図８は図２におけるＢ−Ｂ線に相当する断面図、図９は図２におけるＡ−Ａ線に相当する断面図である。
ディスク係止用当接部材３０は、ディスク受け面と対向する位置に傾斜面として形成した第１変形部３２と、ディスク受け面よりも内周側に絞り溝として形成した第２変形部３３とを有しており、第１変形部３２によって第１突部３４を形成し、第２変形部３３によって第２突部３５を形成している。そして、第２突部３５は、第１突部３４よりもターンテーブル側へ突出させ、第１突部３４の径方向の幅を、第２突部３５の径方向の幅よりも大きくしている。また、第２変形部３３によって形成される第２突部３５の内周端部を、ターンテーブルと反対側へ突出した構成とすることで、第２突部３５の剛性を高めることができ、ディスク４０を強い力で押圧することができる。
【００１７】
図１０、図１１は、更に他の実施例によるディスク係止用当接部材の要部断面図であり、図１０は図２におけるＢ−Ｂ線に相当する断面図、図１１は図２におけるＡ−Ａ線に相当する断面図である。
ディスク係止用当接部材３０は、ディスク受け面と対向する位置に傾斜面として形成した第１変形部３２と、ディスク受け面よりも内周側に、この第１変形部３２と異なる角度の平面部とターンテーブルとを反対側へ突出させて形成した第２変形部３３とを有しており、第１変形部３２と第２変形部３３とによって、ターンテーブル側に最も突出した第２突部３５を形成している。
【産業上の利用可能性】
【００１８】
本発明は、ＣＤ、ＤＶＤ等のディスク状記録媒体の記録または再生を行うディスク装置において、従来のようにディスク内周側にバリや貼り合せ部の凹みがあっても、ディスクを確実にターンテーブル側に移動させることが可能となり、ディスクの確実な自動装着操作が可能となるので、家庭用映像機器やコンピュータの周辺装置として用いられる薄型化が必要なディスク装置に利用できる。
【図面の簡単な説明】
【００１９】
【図１】本発明の実施の形態におけるディスク装置の構成を示す要部断面図
【図２】同装置のディスク係止用当接部材を形成した蓋体の上面図
【図３】本発明の実施の形態におけるディスク装置において、ターンテーブルへディスクを装着する前の状態を示す図
【図４】本発明の実施の形態におけるディスク装置において、ターンテーブルへディスクを装着する開始の状態を示す図
【図５】本発明の実施の形態におけるディスク装置において、ターンテーブルへディスクを装着する途中の状態であって、ディスクがディスク係止用当接部材の第１の突部と当接している状態を示す図
【図６】本発明の実施の形態におけるディスク装置において、ターンテーブルへディスクを装着した後の状態であって、ディスクがディスク係止用当接部材の第１、２の突部と当接している状態を示す図
【図７】本発明の実施の形態におけるディスク装置において、ターンテーブルへディスクが装着された後であって、ディスクが回転可能な位置にある状態を示す図
【図８】本発明の他の実施例によるディスク係止用当接部材の要部断面図で、図２におけるＢ−Ｂ線に相当する断面図
【図９】本発明の他の実施例によるディスク係止用当接部材の要部断面図で、図２におけるＡ−Ａ線に相当する断面図
【図１０】本発明の更に他の実施例によるディスク係止用当接部材の要部断面図で、図２におけるＢ−Ｂ線に相当する断面図
【図１１】本発明の更に他の実施例によるディスク係止用当接部材の要部断面図で、図２におけるＡ−Ａ線に相当する断面図
【図１２】背景技術を説明する従来型のディスク装置の断面図
【符号の説明】
【００２０】
１０  ターンテーブル
２０  ディスク保持機構
２２  保持爪
３０  ディスク係止用当接部材
３１  孔
３４、３５  突部
３２、３３  変形部
４０  ディスク
５０  移動機構
【図１】
2005108401.tif 000003
【図２】
2005108401.tif 000004
【図３】
2005108401.tif 000005
【図４】
2005108401.tif 000006
【図５】
2005108401.tif 000007
【図６】
2005108401.tif 000008
【図７】
2005108401.tif 000009
【図８】
2005108401.tif 000010
【図９】
2005108401.tif 000011
【図１０】
2005108401.tif 000012
【図１１】
2005108401.tif 000013
【図１２】
2005108401.tif 000014